(57)【要約】【課題】粉が落ちる可能性のあるワークを取り扱う場合であっても、長期間使い続けることができるワーク収納機構を提供することを課題とする。【解決手段】薄板状ワーク１０は、左右の面がセパレータ３０で挟まれている。すなわち、薄板状ワーク１０の下にはセパレータ３０が存在しない。  仮に、薄板状ワーク１０から粉が発生した場合、粉５５は落下して底５１上に溜まる。粉５５がセパレータ３０に溜まる心配はないため、セパレータ３０を交換したり、清掃する必要はない。【選択図】図６
2015048128.tif 000002
【特許請求の範囲】
【請求項１】
長尺シートを山折り線と谷折り線に沿って蛇行するように折り畳んでなるセパレータと、このセパレータを設置する箱からなり、
前記セパレータに形成されるＶ字部に薄板状ワークを１枚ずつ収めることで複数の薄板状ワークを収納するワーク収納機構であって、
前記セパレータは、前記山折り線及び前記谷折り線が前記箱の底に略鉛直になるようにして前記箱に設置されていることを特徴とするワーク収納機構。
【請求項２】
前記セパレータの高さ寸法は、前記薄板状ワークの高さ寸法より短く設定されていることを特徴とする請求項１記載のワーク収納機構。
【請求項３】
前記箱の底に、前記セパレータを嵩上げする嵩上げ部材を配置したことを特徴とする請求項１又は請求項２記載のワーク収納機構。
【請求項４】
前記嵩上げ部材は、前記薄板状ワークから生じた粉が前記セパレータより下方へ離間可能とする物であることを特徴とする請求項３記載のワーク収納機構。
【請求項５】
前記嵩上げ部材は、前記箱内の下部に水平に渡した複数本の棒であることを特徴とする請求項３又は請求項４記載のワーク収納機構。
【請求項６】
前記嵩上げ部材は、前記箱内の下部に水平に渡した網又は多孔板であることを特徴とする請求項３又は請求項４記載のワーク収納機構。
【請求項７】
前記嵩上げ部材は、多孔質のクッション材であることを特徴とする請求項３又は請求項４記載のワーク収納機構。
【請求項８】
前記クッション材の上部の形状を波状、鋸歯状又は多島状にしたことを特徴とする請求項７記載のワーク収納機構。
【請求項９】
前記薄板状ワークは、ガスケットであることを特徴とする請求項１〜８のいずれか１項記載のワーク収納機構。
【発明の詳細な説明】
【技術分野】
【０００１】
本発明は、薄板状ワークを収納する収納機構に関する。
【背景技術】
【０００２】
機械部品において、分割する必要がある箇所に、フランジ構造が設けられることがある。フランジ構造は、一対のフランジと、これらのフランジで挟まれるガスケットと、一対のフランジを締結するボルト・ナットとからなる。
エンジンに組み付けられるターボチャージャ（過給器）にもターボチャージャガスケットが使用される。
【０００３】
ターボチャージャガスケットは、１個ずつポリエチレンの袋に入れられて組立場へ搬入される。ポリエチレンの袋に入れられているため、ターボチャージャガスケットが汚れたり、傷付いたりする心配はない。
しかし、地球資源の有効利用の観点から袋を使い捨てることは避けたい。
【０００４】
資源の有効利用を図る収納機構が各種提案されてきた（例えば、特許文献１（第４図）参照。）。
【０００５】
図１３は、従来の収納機構の断面図であり、収納機構１００は、外装箱１０１と、この外装箱１０１に、折り畳み状態で収納されるセパレータ１０２とからなる。セパレータ１０２は合成樹脂発泡シートを上下に蛇行するように折り曲げたものである。
【０００６】
このようなセパレータ１０２のＶ字部１０３に、ワーク１０４が上から差し込まれるようにして収納される。ワーク１０４は必要なときに上へ持ち上げることで取り出される。セパレータ１０２は、多数回使用されるため、地球資源の有効利用が図れる。
【０００７】
ところで、ワーク１０４がガスケットである場合は、次に述べる問題が発生する。ガスケットの多くは繊維を結合材で固めたものである。すると、Ｖ字部１０３に出し入れする際、摩擦により、微量ではあるが表面から粉の形態で剥離することがある。
【０００８】
このような粉が落ちるようなワーク１０４を取り扱うと、粉１０５がＶ字部１０３の谷に溜まる。放置すると粉１０５が次に投入されるワーク１０４に付着するために、セパレータ１０２を定期的に交換する又は清掃する必要がある。
交換する場合はセパレータ１０２の調達費用が嵩む。又、清掃する場合はセパレータ１０２の着脱に係る作業コストと清掃に係るクリーニング代が発生する。
粉が落ちる可能性のあるワークを取り扱う場合であっても、長期間使い続けることができるワーク収納機構が望まれる。
【先行技術文献】
【特許文献】
【０００９】
【特許文献１】実開昭６３−１３７７１４号公報
【発明の概要】
【発明が解決しようとする課題】
【００１０】
本発明は、粉が落ちる可能性のあるワークを取り扱う場合であっても、長期間使い続けることができるワーク収納機構を提供することを課題とする。
【課題を解決するための手段】
【００１１】
請求項１に係る発明は、長尺シートを山折り線と谷折り線に沿って蛇行するように折り畳んでなるセパレータと、このセパレータを設置する箱からなり、
セパレータに形成されるＶ字部に薄板状ワークを１枚ずつ収めることで多数の薄板状ワークを収納するワーク収納機構であって、
セパレータは、山折り線及び谷折り線が箱の底に略鉛直になるようにして箱に設置されていることを特徴とする。
【００１２】
請求項２に係る発明は、セパレータの高さ寸法は、薄板状ワークの高さ寸法より短く設定されていることを特徴とする。
【００１３】
請求項３に係る発明は、箱の底に、セパレータを嵩上げする嵩上げ部材を設置したことを特徴とする。
【００１４】
請求項４に係る発明は、嵩上げ部材は、薄板状ワークから生じた粉がセパレータより下方へ離間可能とする物であることを特徴とする。
【００１５】
請求項５に係る発明は、嵩上げ部材は、箱内の下部に水平に渡した複数本の棒であることを特徴とする。
【００１６】
請求項６に係る発明は、嵩上げ部材は、箱内の下部に水平に渡した網又は多孔板であることを特徴とする。
【００１７】
請求項７に係る発明は、嵩上げ部材は、多孔質のクッション材であることを特徴とする。
【００１８】
請求項８に係る発明は、クッション材の上部を波状、鋸歯状又は多島状にしたことを特徴とする。
【００１９】
請求項９に係る発明は、薄板状ワークは、ガスケットであることを特徴とする。
【発明の効果】
【００２０】
請求項１に係る発明では、セパレータの山折り線及び谷折り線は、収納箱の底に対して鉛直方向を向いている。ワークから粉が落下しても、谷折り線が鉛直であるため、粉がセパレータに溜まることなくセパレータ外へ落下する。セパレータが汚れにくいため、セパレータを交換する必要が無く、清掃する必要もない。
よって、本発明によれば、粉が落ちる可能性のあるワークであっても、長期間使い続けることができるワーク収納機構が提供される。
【００２１】
請求項２に係る発明では、薄板状ワークを箱に収納した際に、薄板状ワークの一部がセパレータの上から突出する。突出した部位を把持又は掴むことができ、セパレータへ薄板状ワークを入れることができると共に、セパレータから薄板状ワークを容易に取り出すことができ、ワーク収納に係る作業性能を高めることができる。
【００２２】
請求項３に係る発明では、箱の底に、セパレータを嵩上げする嵩上げ部材を設置した。嵩上げ部材の下又は内部に粉や異物を蓄えることができ、より長い期間ワーク収納機構を使い続けることができる。
【００２３】
請求項４に係る発明では、嵩上げ部材は、薄板状ワークから生じた粉がセパレータより下方へ離間可能とする物である。薄板状ワークから生じた粉は嵩上げ部材の作用でセパレータの下方へ落下する。よって、粉はセパレータに付着しなくなり、セパレータが綺麗になる。
【００２４】
請求項５に係る発明では、嵩上げ部材は、箱内の下部に水平に渡した複数本の棒である。粉や異物は棒の間を通って落下する。棒であれば、構造が単純になり、容易に箱に取り付けることができる。
【００２５】
請求項６に係る発明では、嵩上げ部材は、箱内の下部に水平に渡した網又は多孔板である。粉や異物は網目又は多孔板の穴を通って落下する。また、網又は多孔板は支持点が多いため、網又は多孔板から薄板状ワークに対する反力は、棒の場合と比較して、小さくなる。そのため、薄板状ワークに局部変形や凹みができる心配がない。
【００２６】
請求項７に係る発明では、嵩上げ部材は、多孔質のクッション材である。薄板状ワークの出し入れ時や搬送時における衝撃、揺れ又は震動が軽減されるため、薄板状ワークをより好ましく保管することができる。
【００２７】
請求項８に係る発明では、クッション材の上部の形状は波状、鋸歯状又は多島状である。波と波の間、鋸歯と鋸歯の間又は島と島の間に、粉や異物を収納するポケット部が形成される。粉や異物は、ポケット部に溜まるため、より長い期間ワーク収納機構を使い続けることができる。
【００２８】
請求項９に係る発明では、薄板状ワークはガスケットである。ガスケットの多くは繊維を結合材で固めたものであり、セパレータに出し入れする際、粉が発生し易い。このようなガスケットに本発明を適用することにより、粉が除去された綺麗なガスケットが提供される。
【図面の簡単な説明】
【００２９】
【図１】薄板状ワークの正面図である。
【図２】長尺シートの正面図である。
【図３】セパレータの平面図である。
【図４】本発明に係るワーク収納機構の断面図である。
【図５】セパレータの作用図である。
【図６】図４の６−６断面図である。
【図７】本発明に係るワーク収納機構の別実施例を示す図である。
【図８】本発明に係るワーク収納機構の更なる別実施例を示す図である。
【図９】ポケット部の変更例を示す図である。
【図１０】ポケット部の更なる変更例を示す図である。
【図１１】本発明に係るワーク収納機構の変更例図である。
【図１２】本発明に係るワーク収納機構の更なる変更例図である。
【図１３】従来の収納機構の断面図である。
【発明を実施するための形態】
【００３０】
本発明の実施の形態を添付図に基づいて以下に説明する。
【実施例】
【００３１】
図１に示すように、薄板状ワーク１０は、略楕円径の穴１１を有し、外周に複数（実施例では４つ）の第１〜第４耳部１２〜１５を有するターボチャージャガスケットである。耳部１２〜１５の各々にはボルト穴１６を有する。
【００３２】
外周において、下位の第１耳部１２と第２耳部１３との間に、湾曲凸部１７があり、この湾曲凸部１７と第１耳部１２と第２耳部１３の外接線１９がほぼ共通しているため、湾曲凸部１７と第１耳部１２と第２耳部１３を下にして立てかけると、より安定する。穴１１の長径上に、第１耳部１２と第３耳部１４が配置されるため、第２耳部１３を下にした場合は、第２耳部１３と第３耳部１４とで最大高さ（長さ）Ｈが定まる。
【００３３】
図２に示すように、セパレータを製作するために、長尺シート２０を準備する。長尺シート２０は、２枚のフィルム２１、２１（奥のフィルム２１は不図示）と、これらのフィルム２１、２１でサンドイッチされる矩形のスポンジ板２２とからなる。長尺シート２０の幅ｈは、図１で説明した高さＨより小さく設定される。
すなわち、スポンジ板２２の大きさは、薄板状ワーク（図１、符号１０）に対応した縦横長さのものを使用する。
隣合うスポンジ板２２、２２の中間に、山折り線２３と谷折り線２４を交互に想定し、長尺シート２０を折ると、図３に示すセパレータ３０が得られる。
【００３４】
図３に示すように、山折り線２３と谷折り線２４で交互に折られた結果、蛇腹状のセパレータ３０が得られ、多数のＶ字部３１が出現する。
【００３５】
図４に示すように、ワーク収納機構４０は、セパレータ３０と、このセパレータ３０を収納する箱５０とからなる。
箱５０は、硬質樹脂からなり、底５１と、この底５１の周縁から立ち上げた壁５２と、この壁５２の上端から水平に張り出す張り出し部５３とからなる。張り出し部５３は、手掛かりとして有益であると共に開口を補強する役割を果たす。
しかし、張り出し部５３は省略可能である。箱５０はダンボール箱でもよい。
よって、箱５０の材質、構造は任意である。
【００３６】
このような箱５０に、山折り線２３及び谷折り線２４が底５１に略鉛直（好ましくは鉛直）になるようにして収納する。この例では、２条のセパレータ３０、３０を箱５０に収納した。セパレータ３０は１条であっても良いが、２条であれば収納性能が倍増する。
【００３７】
図左側のセパレータ３０において、幅ｈより高さＨが大きいため、第３耳部１４がセパレータ３０から上へ突出している。露出しているため、第３耳部１４を容易に掴むことができる。結果、図右側のセパレータ３０において、矢印のように、薄板状ワーク１０を容易に出し入れすることができる。
【００３８】
図５に示すように、セパレータ３０のＶ字部３１ごとに、１個の薄板状ワーク１０を収納することができる。
【００３９】
図６に示すように、薄板状ワーク１０は、左右の面がセパレータ３０で挟まれている。すなわち、薄板状ワーク１０の下にはセパレータ３０が存在しない。
仮に、薄板状ワーク１０から粉が発生した場合、粉５５は落下して底５１上に溜まる。粉５５がセパレータ３０に溜まる心配はないため、セパレータ３０を交換したり、清掃する必要はない。
【００４０】
粉５５の溜まり具合を見て、図４にて、セパレータ３０、３０を上に抜き、からになった箱５０を天地逆にして揺する程度で、箱５０から粉５５を排出することができる。この作業は、セパレータ３０を引き延ばしてクリーニングする作業に比べて格段に簡単である。
ただし、箱５０を逆にして揺する作業も少ないに越したことはない。その点を改良した変更例を次に説明する。
【００４１】
図７に示すように、箱５０の底５１とセパレータ３０の間には、嵩上げ部材６０Ａを入れることもできる。その他は、図４と同じであるため、図４の符号を流用し詳細な説明は省略する。
嵩上げ部材６０Ａは、多孔質のクッション材である。粉５５はクッション材に嵌るようにして収納される。
搬送時の薄板状ワーク１０への衝撃、揺れ又は震動を緩和することによって、薄板状ワーク１０の局部変形や凹みを防止することができる。
【００４２】
図８は図７の改良図であり、嵩上げ部材６０Ｂでは、クッション材の上面を波形状にして、波と波の間に粉５５を溜めるポケット部６１とした。波は図面左右方向に波打つ二次元波の他、図面左右方向及び図面表裏方向に波打つ三次元波であってもよい。
クッション材４２の清掃は、その上部が平坦であるものよりも、清掃が容易となる。
【００４３】
クッション材の上部の形状は、波状に限られない。図９に示すように、嵩上げ部材６０Ｃでは、クッション材の上部の形状を鋸歯状とした。鋸歯６２、６２の間に形成されるポケット部６１に粉５５が溜まる。
【００４４】
図１０に示すようには、嵩上げ部材６０Ｄでは、クッション材の上部の形状を多島状とした。島６３、６３の間がポケット部６１となり、粉５５が溜まる空間の役割を果たす。なお、島６３に相当するものは、円柱や多角柱でもよい。
【００４５】
また、図１１に示すように、嵩上げ部材６０Ｅは、箱５０の壁５２の下部と壁５２の下部とに渡した棒であってもよい。粉５５は棒の間を通って落下する。棒を取付けるだけであるから、ワーク収納機構４０のコストアップを抑えることができる。
【００４６】
さらにまた、図１２に示すように、嵩上げ部材６０Ｆは、箱５０の壁５２の下部と壁５２の下部とに渡した網又は多孔板であってもよい。粉５５は網の目又は多孔板の孔を通って落下する。網又は多孔板を取付けるだけであるから、ワーク収納機構４０のコストアップを抑えることができる。
【００４７】
尚、薄板状ワーク１０は、実施例ではターボチャージャガスケットとしたが、同種のガスケットであってもよい。さらには、皿形状の陶磁器やガラス食器でもよく、種類は任意である。なお、陶磁器やガラス食器は自身から粉が出ないが、静電気作用で付近の粉や異物が付着することが考えられる。本発明のワーク収納機構であれば、陶磁器やガラス食器に付着した粉や異物を搬送中に落下させることが期待される。
【００４８】
また、山折り線及び谷折り線は、底に対して鉛直（９０°）であることを基本とするが、７０°〜９０°の範囲であれば、粉や異物が溜まり難くなる。よって、山折り線及び谷折り線は、底に対して略鉛直であればよい。
【産業上の利用可能性】
【００４９】
本発明のワーク収納機構は、粉が出る可能性のある薄板状ワークの収納に好適である。
【符号の説明】
【００５０】
１０…薄板状ワーク、１４…第３耳部、２０…長尺シート、２３…山折り線、２４…谷折り線、３０…セパレータ、３１…Ｖ字部、４０…ワーク収納機構、５０…箱、５１…底、５２…壁、５５…粉、６０Ａ〜６０Ｆ…嵩上げ部材、６１…ポケット部、６２…鋸歯、６３…島、Ｈ…ワークの最大長さ、ｈ…長尺シートの幅。
【図１】
2015048128.tif 000003
【図２】
2015048128.tif 000004
【図３】
2015048128.tif 000005
【図４】
2015048128.tif 000006
【図５】
2015048128.tif 000007
【図６】
2015048128.tif 000008
【図７】
2015048128.tif 000009
【図８】
2015048128.tif 000010
【図９】
2015048128.tif 000011
【図１０】
2015048128.tif 000012
【図１１】
2015048128.tif 000013
【図１２】
2015048128.tif 000014
【図１３】
2015048128.tif 000015